(57)【特許請求の範囲】
【請求項１】
鍵盤シャーシ上に光透過性を有する複数の鍵がそれぞれ上下方向に回動可能に配列され、前記鍵盤シャーシに発光体が前記複数の鍵の下方にそれぞれ対応して設けられ、この状態で前記複数の発光体を選択的に発光させて前記鍵を下方から投光して光らせる鍵盤装置において、
前記発光体は、夫々発光輝度及び発光方向の異なる 複数の発光素子からなり、鍵盤の中間部分の所定位置を境にして、これら発光素子のうち、輝度の低い発光素子の発光方向が前記鍵の配列方向の中間部の所定位置を向くように、前記発光体が前記複数の鍵盤の配列方向に配置されていることを特徴とする鍵盤装置。
【請求項２】
鍵盤シャーシ上に光透過性を有する複数の鍵がそれぞれ上下方向に回動可能に配列され、前記鍵盤 シャーシに発光体が前記複数の鍵の下方にそれぞれ対応して設けられ、この状態で前記複数の発光体を選択的に発光させて前記鍵を下方から投光して光らせる鍵盤装置において、
前記発光体は、夫々発光輝度及び発光方向との異なる複数の発光素子からなり、これら発光素子のうち、輝度の低い発光素子の発光方向が前記鍵の前側に向くように、前記複数の発光素子が前記鍵の前後方向に配置されていることを特徴とする鍵盤装置。
【請求項３】
前記発光体は、前記複数の発光素子が共通の基板上に設けられていることを特徴とする請求項１または２に記載の鍵盤装置。
【発明の詳細な説明】
【０００１】
【発明の属する技術分野】
この発明は、電子鍵盤楽器などの鍵盤装置に関する。
【０００２】
【従来の技術】
電子ピアノなどの電子鍵盤楽器においては、鍵盤シャーシ上に複数の鍵を上下方向に回動自在に配置すると共に、この鍵盤シャーシに複数の発光体を各鍵の前部の下方にそれぞれ対応させて設け、これら発光体を予め記憶された演奏曲に応じて選択的に発光させることにより、各鍵の前部側を選択的に照明して光らせ、これにより押鍵すべき鍵を指示するナビゲート機能を備えたものがある。この場合、複数の鍵は、白鍵と黒鍵とからなり、そのいずれもが光透過性を有する合成樹脂からなり、各鍵の下方に配置された発光体により各鍵の前部側が下方から照明された際、その照明光が鍵を透過して上方に出射することにより、鍵そのものが光って見えるように構成されている。
【０００３】
このような電子鍵盤楽器では、演奏者が鍵を押鍵するときに、各鍵に対応する発光体が単一で同色の発光素子であると、演奏者が右手で押鍵するのか、左手で押鍵するのかを判断することができないため、従来では、発光体を発光色の異なる２つの発光素子、例えば赤色光を発光する赤色発光ダイオードと黄色光を発光する黄色発光ダイオードとで構成し、これにより発光体の発光色で左右のいずれの手で押鍵するのかを視認できるようにしたものが開発されている。
【０００４】
【発明が解決しようとする課題】
しかしながら、このような電子鍵盤楽器では、発光体が発光色の異なる２つの発光素子からなり、これら発光素子を各鍵の下方に配置する際、鍵の配列方向つまり鍵の左右方向、または鍵の配列方向と直交する方向つまり鍵の前後方向のいずれかに配列する必要があるため、２つの発光素子のうち、一方の発光素子の輝度が他方の発光素子の輝度よりも低いと、２つの発光素子を選択的に発光させて鍵を光らせた際に、演奏者の位置から見て鍵の左右方向または鍵の前後方向で鍵の明るさに差が生じるという問題がある。
【０００５】
例えば、２つの発光素子が赤色発光ダイオードと黄色発光ダイオードとからなる場合には、黄色発光ダイオードの輝度が赤色発光ダイオードの輝度よりも低く、黄色発光ダイオードによる照明が暗く見える傾向にある。このような黄色発光ダイオードを鍵の下方における右側に配置し、赤色発光ダイオードを黄色発光ダイオードの左側に配置すると、複数配列された鍵のうち、演奏者の位置から見て右側に配列された鍵に対応する黄色発光ダイオードの光が演奏者と反対側に向けて鍵に照射されるため、演奏者の位置からは、右側半分に配列された鍵の黄色の明るさが、赤色の明るさよりも暗く見えるという問題があるばかりか、左側半分に配列された鍵の黄色の明るさよりも暗く見えるという問題もある。
【０００６】
また、黄色発光ダイオードを鍵の下方における前側に配置し、赤色発光ダイオードを鍵の下方における黄色発光ダイオードの後側に配置し、これら各発光ダイオードで鍵の前部のほぼ同じ位置を照明した場合には、黄色発光ダイオードの輝度が赤色発光ダイオードの輝度よりも低い傾向にあるため、各鍵の黄色の明るさが赤色の明るさよりも暗く見えるという問題がある。
【０００７】
この発明の課題は、複数の発光素子の発光色ごとに輝度に差があっても、演奏者から見て鍵がほぼ均一の明るさで光って見えるようにすることである。
【０００８】
【課題を解決するための手段】
請求項１に記載の発明は、鍵盤シャーシ上に光透過性を有する複数の鍵がそれぞれ上下方向に回動可能に配列され、前記鍵盤シャーシに発光体が前記複数の鍵の下方にそれぞれ対応して設けられ、この状態で前記複数の発光体を選択的に発光させて前記鍵を下方から投光して光らせる鍵盤装置において、前記発光体は、夫々発光輝度及び発光方向の異なる 複数の発光素子からなり、鍵盤の中間部分の所定位置を境にして、これら発光素子のうち、輝度の低い発光素子の発光方向が前記鍵の配列方向の中間部の所定位置を向くように、前記発光体が前記複数の鍵盤の配列方向に配置されていることを特徴とする。
【０００９】
請求項２に記載の発明は、鍵盤シャーシ上に光透過性を有する複数の鍵がそれぞれ上下方向に回動可能に配列され、前記鍵盤 シャーシに発光体が前記複数の鍵の下方にそれぞれ対応して設けられ、この状態で前記複数の発光体を選択的に発光させて前記鍵を下方から投光して光らせる鍵盤装置において、前記発光体は、夫々発光輝度及び発光方向との異なる複数の発光素子からなり、これら発光素子のうち、輝度の低い発光素子の発光方向が前記鍵の前側に向くように、前記複数の発光素子が前記鍵の前後方向に配置されていることを特徴とする。
【００１０】
この場合、請求項３に記載のごとく、前記発光体は、前記複数の発光素子が共通の基板上に設けられていることにより、複数の発光素子をユニット化でき、これにより発光体をコンパクトに構成することができ、このため白鍵および黒鍵からなる複数の鍵のうち、特に発光体の設置スペースが狭い黒鍵に対しても、容易に設置することができる。
【００１１】
【発明の実施の形態】
以下、図１〜図４を参照して、この発明の鍵盤装置を電子鍵盤楽器に適用した一実施形態について説明する。
図１は電子鍵盤楽器を示した要部の平面図、図２はそのＡ−Ａ矢視における拡大断面図である。
この電子鍵盤楽器は、図１および図２に示すように、楽器ケース内に組み込まれる合成樹脂製の鍵盤シャーシ１と、この鍵盤シャーシ１上に上下方向に回動可能に配置された合成樹脂製の複数の鍵２と、これら鍵２の押鍵動作に伴ってそれぞれ上下方向に回動変位して各鍵２にアクション荷重を付与するハンマーアーム３と、各鍵２の押鍵動作に応じてそれぞれスイッチ動作してオン信号を出力するスイッチ部材４と、各鍵２をそれぞれ照明して光らせる発光体５とを備えている。
【００１２】
複数の鍵２は、図１に示すように、白鍵２ａと黒鍵２ｂとからなり、これらが鍵盤シャーシ１上に並列に配置されている。この場合、白鍵２ａは、黒鍵２ｂの長さよりも長く、前端部の幅が黒鍵２ｂよりも広く、かつその高さが黒鍵２ｂの高さよりも低く形成されており、これ以外は黒鍵２ｂとほぼ同じ構造になっている。このため、以下の説明では黒鍵２ｂを鍵２として述べる。これら鍵２は、図２に示すように、それぞれ後端部（同図では右端部）が鍵盤シャーシ１の後端部（同図では右端部）上に設けられた鍵支持部６に軸７により回動自在に取り付けられ、この軸７を中心に上下方向に回動し、各鍵２のほぼ中間部に形成された中空状の押圧部８がスイッチ部材４を押圧するように構成されている。
【００１３】
この場合、各鍵２は、後述するハンマーアーム３によって上方に付勢され、これにより通常は図２に示すように、各鍵２の前端部（同図では左端部）に垂設されたＬ字状のストッパ片９が鍵盤シャーシ１の前端部の下面に設けられたフェルトなどからなる鍵用の上限ストッパ１０に当接することにより、所定の初期位置（上限位置）に位置規制されている。また、各鍵２は、押鍵時に軸７を中心に図２において反時計回りに回動して、Ｌ字状のストッパ片９が鍵盤シャーシ１の前端部の下部に設けられたフェルトなどからなる鍵用の下限ストッパ１１に当接することにより、所定の下限位置に位置規制されている。なお、各鍵２は、鍵盤シャーシ１の前端部上に設けられた鍵ガイド１２によってそれぞれ横振れしないようにガイドされている。
【００１４】
ハンマーアーム３は、図２に示すように、合成樹脂製のアーム本体１３と、このアーム本体１３の後端部側に（同図では右下端部側）に取り付けられた錘１４と、アーム本体１３の前端部（同図では左上端部）に設けられたハンマー当接部１５とを備えている。このハンマーアーム３は、アーム本体１３の後端部側が錘１４と共に鍵盤シャーシ１の開口部１ａを通して鍵支持部６の下方に各鍵２と対応した状態で配置され、アーム本体１３のほぼ中間部が鍵盤シャーシ１上に設けられたハンマー支持部１６に軸１７によって上下方向に回動自在に支持され、この状態でアーム本体１３の前端部側のハンマー当接部１５が鍵２の下面に当接して摺動するように構成されている。
【００１５】
このハンマーアーム３は、図２に示すように、通常は錘１４の重量によってアーム本体１３が同図において時計回りに付勢され、アーム本体１３の後端部の下面が鍵盤シャーシ１の後端部における側壁リブ１８の下端部に設けられたフェルトなどからなる下限ストッパ１９に当接して、所定の初期位置（下限位置）に位置規制され、これによりハンマー当接部１５が鍵２を上方に押し上げている。また、このハンマーアーム３は、錘１４の重量に抗して鍵２が押鍵されると、鍵２によりハンマー当接部１５が押し下げられ、これによりアーム本体１３が図２において時計回りに回動して鍵２にアクション荷重を付与し、アーム本体１３の後端部の上面が鍵盤シャーシ１の後端部に設けられた上限ストッパ２０に当接して所定の上限位置に位置規制されている。
【００１６】
スイッチ部材４は、図２に示すように、ゴムシート２１とスイッチ基板２２とからなり、鍵盤シャーシ１のほぼ中間部分における下面に配置されている。ゴムシート２１は、鍵２の配列方向に連続する帯状に形成され、各鍵２の押圧部８に対応する個所に弾性変形可能なドーム状の膨出部２３が形成され、これら膨出部２３が鍵盤シャーシ１の各貫通孔１ｂ内に下側から挿入されて上方に突出している。スイッチ基板２２は、ゴムシート２１を介して鍵盤シャーシ１の下面に取り付けられている。これにより、スイッチ部材４は、押鍵動作に応じてゴムシート２１の膨出部２３が鍵２の押圧部８によって押圧されたときに、膨出部２３が弾性変形してその内部に設けられた可動接点がスイッチ基板２２に設けられた固定接点に接触し、これによりオン信号を出力するように構成されている。
【００１７】
ところで、各鍵２は、光透過性を有する合成樹脂からなり、その前部下方に配置された発光体５により各鍵２の前部が下方から照明され、その照明光が鍵２を透過することにより、鍵２が光って見えるように構成されている。
発光体５は、発光色の異なる２つの発光素子、例えば図３に示すように、赤色光を発光する赤色発光ダイオード２４と、黄色光を発光する黄色発光ダイオード２５とを備え、各発光ダイオード２４、２５が共通のユニット基板２６上に透明なカバー部材２７で覆われて設けられ、このユニット基板２６の下面に接続用の一対の脚部２８が設けられた構造になっている。この発光体５は、図２および図４に示すように、一対の脚部２８が各鍵２の前部下方に位置する鍵盤シャーシ１上の取付部材２９に取り付けられ、これにより各鍵２の下方にそれぞれ対応して配置されている。
【００１８】
また、この発光体５は、図３および図４に示すように、赤色発光ダイオード２４と黄色発光ダイオード２５とが鍵２の配列方向に沿って共通のユニット基板２６上に配置され、これにより例えば赤色発光ダイオード２４が演奏者の右手による押鍵操作を指示し、黄色発光ダイオード２５が演奏者の左手による押鍵操作を指示するように構成されている。この場合、赤色発光ダイオード２４と黄色発光ダイオード２５とは、輝度が異なり、黄色発光ダイオード２５の輝度が赤色発光ダイオード２４の輝度よりも低くなる傾向にある。このため、輝度の低い黄色発光ダイオード２５が鍵２の演奏者側を照明するように配置されている。
【００１９】
すなわち、図１に示すように複数配列された各鍵２のうち、演奏者が位置する個所（つまり鍵盤のほぼ中間部分）を境にして、左側半分の低音域側の各鍵２に対応する黄色発光ダイオード２５は、図４に示すように、鍵２の下方における左側に配置されて、鍵２の演奏者側である右側部分を照明する。また、この低音域側の赤色発光ダイオード２４は、鍵２の下方における黄色発光ダイオード２５の右側に配置されて、鍵２の演奏者と反対側の左側部分を照明する。
一方、演奏者が位置する個所を境にして、右側半分の高音域側の各鍵２に対応する黄色発光ダイオード２５は、鍵２の下方における右側に配置されて、鍵２の演奏者側である左側部分を照明する。また、この高音域側の赤色発光ダイオード２４は、鍵２の下方における黄色発光ダイオード２５の左側に配置され、鍵２の演奏者と反対側の左側部分を照明する。
【００２０】
このような電子鍵盤楽器では、発光体５の各発光ダイオード２４、２５のうち、例えば赤色発光ダイオード２４が予め記憶された演奏曲に応じて選択されて点灯すると、赤色の光が鍵２の前部に下方から照射され、この照射された光が鍵２を透過することにより、鍵２の前部が赤く光る。また、黄色発光ダイオード２５が予め記憶された演奏曲に応じて選択されて点灯すると、黄色の光が鍵２の前部に下方から照射され、この照射された光が鍵２を透過することにより、鍵２の前部が黄く光る。
【００２１】
このときには、輝度の低い黄色発光ダイオード２５が鍵２の配列方向における演奏者側、すなわち演奏者が位置する個所を境にして、左側半分の低音域側では各鍵２の演奏者側である右側部分を照明し、右側半分の高音域側では各鍵２の演奏者側である左側部分を照明するので、発光体５を選択的に発光させて鍵２を光らせる際、黄色発光ダイオード２５によって照明された鍵２が演奏者の位置から見やすくなり、このため黄色発光ダイオード２５の輝度が赤色発光ダイオード２４の輝度よりも低くても、演奏者から見て鍵２がほぼ均一の明るさで光って見えるようにすることができると共に、左側半分の低音域側と右側半分の高音域側との黄色の明るさもほぼ均一な明るさになる。
【００２２】
このように、この電子鍵盤楽器では、自動演奏や演奏練習などの際に、その演奏曲に応じて発光体５の赤色発光ダイオード２４と黄色発光ダイオード２５とを選択的に点灯させることにより、鍵２の前部を赤色および黄色のいずれかの光で照明してほぼ均一の明るさで光らせることができるので、押鍵すべき鍵２を容易に視認することができると共に、鍵２の光った色により左右いずれの手で押鍵すべきかをも視認することができる。これにより、自動演奏および演奏練習では、演奏曲に応じて押鍵すべき鍵２の前部が演奏者から見てほぼ均一の明るさで光ることにより、ナビゲータとして押鍵すべき鍵２を良好に指示することができる。
【００２３】
また、この電子鍵盤楽器では、発光体５の赤色発光ダイオード２４と黄色発光ダイオード２５とを共通のユニット基板２６上に設けたことにより、赤色発光ダイオード２４と黄色発光ダイオード２５とを備えた発光体５をユニット化することができ、これにより発光体５をコンパクトに構成することができ、このため白鍵２ａおよび黒鍵２ｂからなる複数の鍵２のうち、特にハンマーアーム３などによって発光体５の設置スペースが狭い黒鍵２ｂに対しても、容易に設置することができる。
【００２４】
なお、上記実施形態では、発光体５の赤色発光ダイオード２４と黄色発光ダイオード２５とを鍵２の配列方向に沿って配置したが、これに限らず、例えば図５に示す変形例のように、赤色発光ダイオード２４と黄色発光ダイオード２５とを鍵２の配列方向と直交する方向つまり鍵２の前後方向に沿って配置しても良い。この場合には、図５に示すように、輝度の高い赤色発光ダイオード２４を鍵２の前側に配置し、この赤色発光ダイオード２４の照射光を鍵２の後方に向けて照射させ、輝度の低い黄色発光ダイオード２５を赤色発光ダイオード２４の後側に配置し、この黄色発光ダイオード２４５の照射光を鍵２の前面の傾斜部分３０に向けて照射させるように構成すれば良い。
【００２５】
このような変形例の電子鍵盤楽器では、赤色発光ダイオード２４と黄色発光ダイオード２５とを選択的に発光させて鍵２を光らせる際、輝度の低い黄色発光ダイオード２５の照射光が鍵２の前面の傾斜部分３０に照射されるので、黄色発光ダイオード２５によって照明された鍵２が赤色発光ダイオード２４で照明された場合よりも演奏者の位置から見やすくなる。このため、黄色発光ダイオード２５の輝度が赤色発光ダイオード２４の輝度よりも低くても、演奏者から見て鍵２がほぼ均一の明るさで光って見えるようにすることができる。
【００２６】
また、上記実施形態およびその変形例では、赤色発光ダイオード２４と黄色発光ダイオード２５とを共通のユニット基板２６上に設けて、発光体５を一体化したが、これに限らず、赤色発光ダイオード２４と黄色発光ダイオード２５とをそれぞれ独立させて配置しても良い。また、発光色の異なる発光素子として、赤色発光ダイオード２４と黄色発光ダイオード２５とを用いた場合について述べたが、これに限らず、緑色光を発光する緑色発光ダイオードや青色光を発光する青色発光ダイオードなどの発光ダイオードを用いても良く、またこれらの発光ダイオードを適宜組み合わせて用いても良い。
【００２７】
さらに、上記実施形態およびその変形例では、鍵盤シャーシ１にハンマーアーム３を各鍵２に対応させてそれぞれ回動自在に取り付け、これらハンマーアーム３で各鍵２にアクション荷重を付与する構造の鍵盤装置について述べたが、これに限らず、例えば鍵盤シャーシ１と各鍵２の間にそれぞれコイルばねなどのばね部材を設け、これらばね部材で各鍵２を上方に付勢する構造の鍵盤装置にも適用できるほか、各鍵２の後端部に上下方向に弾性変形する屈曲部を形成し、この屈曲部を各鍵共通の連結部に連結形成し、この連結部を鍵盤シャーシ１上に取り付けることにより、複数の鍵を一体に成形した簡易型の一体鍵構造の鍵盤装置にも適用することができる。
【００２８】
【発明の効果】
以上説明したように、請求項１に記載の発明によれば、発光色の異なる複数の発光素子のうち、輝度の低い発光素子が鍵の演奏者側を照明するように、複数の発光素子を鍵の配列方向に配置したので、複数の発光素子を選択的に発光させて鍵を光らせる際、輝度の低い発光素子によって照明された鍵が演奏者の位置から見やすくなり、このため複数の発光素子の発光色ごとに輝度に差があっても、演奏者から見て鍵がほぼ均一の明るさで光って見えるようにすることができる。
また、請求項２に記載の発明によれば、発光色の異なる複数の発光素子のうち、輝度の低い発光素子の照射光が鍵の前側に向けて照射するように、複数の発光素子を鍵の前後方向に配置したので、複数の発光素子を選択的に発光させて鍵を光らせる際、輝度の低い発光素子によって照明された鍵が演奏者の位置から見やすくなり、このため複数の発光素子の発光色ごとに輝度に差があっても、演奏者から見て鍵がほぼ均一の明るさで光って見えるようにすることができる。
【図面の簡単な説明】
【図１】この発明の鍵盤装置を電子鍵盤楽器に適用した一実施形態の要部の平面図。
【図２】図１のＡ−Ａ矢視における拡大断面図。
【図３】図２の発光体の拡大正面図。
【図４】図２のＢ−Ｂ矢視における拡大断面図。
【図５】図３の発光体の各発光ダイオードを鍵の前後方向に配置した変形例を示した要部の拡大断面図。
【符号の説明】
１  鍵盤シャーシ
２  鍵
２ａ  白鍵
２ｂ  黒鍵
５  発光体
２４  赤色発光ダイオード
２５  黄色発光ダイオード
２６  ユニット基板
【図１】
0004061851.tif 000002
【図２】
0004061851.tif 000003
【図３】
0004061851.tif 000004
【図４】
0004061851.tif 000005
【図５】
0004061851.tif 000006